(57)【特許請求の範囲】
【請求項１】
静電潜像が形成される像担持体に当接して相対的に移動し電圧が印加されることにより前記像担持体の表面を帯電するためのブレード状の帯電部材であって、
前記像担持体の表面に対して放電を行うための帯電部と、前記像担持体の表面に対して放電を行わないための非帯電部と、を有し、
前記非帯電部は前記像担持体と接触して、前記帯電部と前記像担持体との間に放電可能な間隙を設けることが可能であり、
前記非帯電部は、前記非帯電部から前記像担持体の表面に対して放電をしないように、少なくとも一部が前記帯電部よりも高抵抗の物質で構成されており、
前記非帯電部に同一の力を加えたときに、前記帯電部材の変形量が、帯電部材長手方向における端部よりも、帯電部材長手方向における中央部の方が大きいことを特徴とする帯電部材。
【請求項２】
前記帯電部材には帯電部材長手方向に沿って溝又は切れ込みが設けられており、前記溝の深さ又は前記切れ込みの深さが帯電部材長手方向において端部に対して中央部が深いことを特徴とする請求項１に記載の帯電部材。
【請求項３】
前記溝又は前記切れ込みは前記帯電部材の前記像担持体と対向する側に設けられていることを特徴とする請求項２に記載の帯電部材。
【請求項４】
前記溝又は前記切れ込みは前記帯電部材の前記像担持体と対向する側とは反対側に設けられていることを特徴とする請求項２に記載の帯電部材。
【請求項５】
前記帯電部材は、第一の帯電部材部分と第二の帯電部材部分とを帯電部材長手方向に沿って前記帯電部材の前記像担持体と対向する側の面から帯電部材厚み方向において非接着部を存して接着剤により接着されている接着部によって接合されており、前記非接着部の帯電部材厚み方向の幅を非接着幅としたとき、前記非接着幅は帯電部材長手方向において端部に対して中央部が広いことを特徴とする請求項１に記載の帯電部材。
【請求項６】
前記帯電部と前記非帯電部とを支持する金属製の板バネ部材を備え、前記板バネ部材の先端は前記帯電部の先端位置よりも突出しており、前記突出の量は帯電部材長手方向において中央部に対して端部が大きいことを特徴とする請求項１に記載の帯電部材。
【請求項７】
前記非帯電部は前記像担持体の表面の画像形成可能領域幅の全幅に渡って当接して前記像担持体の表面を摺擦することを特徴とする請求項１乃至６の何れか一項に記載の帯電部材。
【請求項８】
静電潜像が形成される像担持体の表面を一様に帯電する帯電部材と、前記帯電部材に電圧を印加する電源と、を備えた画像形成装置であって、前記帯電部材が請求項１乃至７の何れか一項に記載の帯電部材であることを特徴とする画像形成装置。
【発明の詳細な説明】
【技術分野】
【０００１】
本発明は、静電潜像が形成される像担持体（被帯電体）に当接して相対的に移動し電圧が印加されることにより像担持体の表面を帯電するためのブレード状の帯電部材、およびその帯電部材を用いた画像形成装置に関するものである。
【０００２】
上記において、静電潜像が形成される像担持体の代表例としては、電子写真感光体、静電記録誘電体が挙げられる。画像形成装置としては電子写真方式や静電記録方式の複写機、プリンタ、ファクシミリ、それらの複合機能機、画像表示ディスプレイ装置などが挙げられる。
【背景技術】
【０００３】
転写方式の電子写真画像形成装置を例にして説明する。この装置は、一般に、回転ドラム型に代表される電子写真感光体（像担持体：以下、ドラムと記す）に対して、ドラム表面を所定の極性・電位に一様に帯電する帯電手段と、そのドラム帯電面に選択的に露光する露光手段により画像情報の静電潜像が形成される。そして、その潜像が現像手段により現像剤（以下、トナーと記す）を用いてトナー像として可視化（現像）される。そのトナー像が転写手段により記録材（記録媒体）に転写される。そして、記録材上のトナー像が定着手段により固着画像として定着されて、その記録材が画像形成物として出力される。
【０００４】
帯電手段（帯電装置）は、近年は、半導電性のゴムや樹脂によるベルト形状、ロール形状、ブラシ形状などの回転方式の帯電部材、あるいはブレード形状、フィルム形状などの固定方式の帯電部材を用いた接触型帯電方式が主流となっている。
【０００５】
接触型帯電方式は従来から広く使用されていた非接触型帯電方式であるコロナ帯電方式に比べてオゾン発生量が微量であるためオゾン除去フィルターなどの必要性がなくなる。また、ドラム表面を所定電位にするために必要とする印加電圧の低電圧化が図れることから装置の小型化、低コスト化が可能になるという利点がある。
【０００６】
接触型帯電方式の帯電メカニズムについて説明する。接触帯電方式によるドラム表面の帯電メカニズムは、微小空隙におけるパッシェンの法則に従った放電であることが知られている。これは以下のように説明される。
【０００７】
１）帯電ローラの場合
図１５の（ａ）と（ｂ）は帯電部材として回転方式の帯電ローラ２１を用いたローラ帯電装置の場合の斜視模式図と断面模式図である。帯電ローラ２１は導電性芯金２１ａと芯金２１ａに対して同心一体にローラ状に形成された導電性弾性層２１ｂを有する。ドラム１は導電性のドラム基体１２の外周面に感光層１１が形成されている。帯電ローラ２１はドラム１に対してほぼ並行に配列されて所定の押圧力で接触（当接）している。
【０００８】
帯電ローラ２１はドラム１の表面の画像形成可能領域幅（最大画像領域幅）Ｇの全幅に渡る長さ寸法を有し、ドラム１の回転に従動して回転する。帯電ローラ２１の芯金２１ａに対して帯電バイアス印加電源Ｅから所定の帯電バイアスが印加され、芯金２１ａを介して弾性層２１ｂにバイアスが印加される。これにより、回転するドラム１の表面が所定の極性・電位に一様に帯電される。
【０００９】
帯電ローラ２１とドラム１との間の放電に関与する微小ギャップの空気層とドラム１を電気的な等価回路に表現すると図１５の（ｃ）のように示される。帯電ローラ２１の示すインピーダンスはドラム１、空気層のそれに比べて小さく無視できるためここでは扱わない。このため、帯電機構は単に２つのコンデンサーＣ１、Ｃ２で表現できる。この等価回路に直流電圧を印加すると、電圧はそれぞれのコンデンサーのインピーダンスに比例配分され、空気層に印加される電圧Ｖａｉｒは、
Ｖａｉｒ＝Ｃ２／（Ｃ１＋Ｃ２）・・・（１）式
になる。空気層にはパッシェンの法則に従う絶縁破壊電圧があり、空気層の厚みをｇ［μｍ］とすると、Ｖａｉｒが
３１２＋６．２ｇ［Ｖ］・・・（２）式
を越えると放電が起き、帯電が行われる。
【００１０】
はじめて放電が起きる電圧は（１）式と（２）式が等しくなった場合の空気層の厚みｇに関する二次方程式が重解を持つときであるので（Ｃ１もｇの関数）、このときの直流電圧値が放電開始電圧Ｖｔｈに相当する。このようにして求められた理論値のＶｔｈは実験値と非常に近い値を取る。
【００１１】
ローラ帯電装置は、帯電ローラ２１の回転支持部材２１１や加圧ばね２１２などが必要になり装置の構造が複雑になりやすい。また、帯電部材がブラシ形状（帯電ブラシ）のものは、回転方式でも固定方式でもブラシの作製に手間がかかるうえ、ブラシの跡が帯電ムラになりやすい。
【００１２】
２）帯電ブレードの場合
図１６の（ａ）は帯電部材として固定方式の帯電ブレード２２を用いたブレード帯電装置の場合の斜視模式図である。ブレード帯電装置の場合は、帯電ブレード２２として、帯電部としての導電性の弾性ブレード部２２０とこのブレード部２２０を保持させた導電性の支持部材２２３を有するものを用いる。ブレード部２２０はドラム１の表面の画像形成可能領域幅Ｇの全幅に渡る長さ寸法を有する。そして、帯電ブレード２２をドラム１に対してほぼ並行に配列して、ブレード部２２０をドラム１に接触させ、支持部材２２３を装置の不動部材（不図示）に固定して配設する。
【００１３】
支持部材２２３に対して帯電バイアス印加電源Ｅから所定の帯電バイアスが印加され、支持部材２２３を介してブレード部２２０にバイアスが印加される。これにより、回転するドラム１の表面が所定の極性・電位に一様に帯電される。即ち、ブレード部２２０とドラム１との間に形成されるくさび型の微小空隙部分で放電を行うものであり、比較的安定した微小空隙を形成できる。そして、ローラ帯電装置で必要な回転支持部材２１１や加圧ばね２１２などが不要なため安価であるという特徴を有しており近年有望視されている。
【００１４】
しかしながら、帯電ブレード２２はブレード部２２０の一部が常にドラム１と接触しているため次のような課題がある。
【００１５】
ａ：帯電ブレード２２は、図１６の（ｂ）のように、ブレード部２２０とドラム１との接触部をすり抜けたトナーＴなどが少しずつ微小空隙ｇに蓄積する場合がある。そして、そのトナーＴなどの蓄積が進行すると放電を妨げるため、このような部分では画像上にスジ状の画像不良が現れることがあった。
【００１６】
ｂ：また、ドラム１の表面に存在するピンホールを介してブレード部２２０への印加電圧がリークするピンホールリークを防止するために、ブレード部２２０のドラム１との接触部分に保護層が設けられることが多い。その場合において、長期にわたって使用すると保護層が磨耗しピンホールリークが起きやすい。
【００１７】
これらの課題に対して、特許文献１には、帯電ブレードとして、ブレードが放電を行う半導電性部分と、半導電性部分がドラムに対して非接触でかつ微小空隙を保持するようにドラムに当接して位置決めを行う絶縁部とを有する構成が提案されている。これにより、半導電性部分とドラムが常に非接触となるので、長期にわたる使用においてもピンホールリークの抑制が可能となっている。
【００１８】
また、特許文献２には、板状の絶縁性弾性部材からなるブレードと、このブレードのドラムと対向する面に設けられた帯電電極層を有する構成が提案されている。これは、ブレードの先端から帯電電極層の先端までの距離を適切に設定することにより、ブレードをすり抜けたトナーなどが帯電電極層に蓄積することによる影響を受けることなくスジ状の画像不良のない良好な出力画像を得ることができるようになっている。
【００１９】
また、特許文献３には、板状の絶縁性弾性部材からなるブレードと、このブレードのドラムと対向する面に設けられた帯電電極層を有する構成において、一旦ドラム表面から隔離したあと再びドラムに近接する凸状部を有する構成が提案されている。これは、ブレードの先端から帯電電極層の先端までの距離を上述の特許文献２よりも更に離れて設定できるため、更に安定してスジ状の画像不良のない良好な出力画像を得ることができるようになっている。
【先行技術文献】
【特許文献】
【００２０】
【特許文献１】特開平０９−３１９１８３号公報
【特許文献２】特開平０８−６２９３７号公報
【特許文献３】特開平０８−６２９３８号公報
【発明の概要】
【発明が解決しようとする課題】
【００２１】
しかしながら、近年の画像形成装置の小型化および軽量化によりドラムの小径化が進み、以下のような課題が生じた。即ち、帯電ブレードとドラムを圧接させたときにはドラムの撓みによって図１７の（ａ）に示すようにドラムの長手中央部と端部とでブレードの侵入量に差が生じる。この撓みによる侵入量の差は（ｂ）に示すようにドラムが小径化するほど大きくなる。
【００２２】
また、特許文献１〜３では、ブレード侵入量と半導電性部分とドラムとの微小空隙の距離との間には図１７の（ｃ）のような関係がある。従って、ドラムが撓んでブレード侵入量に長手中央と端部で差が生じると微小空隙の距離が長手で不均一になる。そのためドラムの表面電位が不安定になり、画質が安定しないという課題が生じた上記のような理由から、ドラムに撓みが生じる場合においてもブレードの帯電部とドラムの微小空隙の距離が安定する非接触帯電を満足できるように更なる改善／改良が望まれる。
【００２３】
そこで本発明の目的は、像担持体の撓みによる影響を低減し、安定した帯電が行えるブレード状の帯電部材、およびその帯電部材を用いた画像形成装置を提供することにある。
【課題を解決するための手段】
【００２４】
上記の目的を達成するための本発明に係る帯電部材の代表的な構成は、静電潜像が形成される像担持体に当接して相対的に移動し電圧が印加されることにより前記像担持体の表面を帯電するためのブレード状の帯電部材であって、前記像担持体の表面に対して放電を行うための帯電部と、前記像担持体の表面に対して放電を行わないための非帯電部と、を有し、前記非帯電部は前記像担持体と接触して、前記帯電部と前記像担持体との間に放電可能な間隙を設けることが可能であり、前記非帯電部は、前記非帯電部から前記像担持体の表面に対して放電をしないように、少なくとも一部が前記帯電部よりも高抵抗の物質で構成されており、前記非帯電部に同一の力を加えたときに、前記帯電部材の変形量が、帯電部材長手方向における端部よりも、帯電部材長手方向における中央部の方が大きいことを特徴とする。
【発明の効果】
【００２５】
本発明によれば、像担持体の撓みによる影響を低減し、安定した帯電が行えるブレード状の帯電部材を提供することができる。また、安定した帯電が行えるブレード状の帯電部材を用いた画像形成装置を提供することができる。
【図面の簡単な説明】
【００２６】
【図１】実施例１の帯電ブレードの構成説明図
【図２】画像形成装置例の概略構成図
【図３】帯電ブレードの侵入量δの概念を示す図
【図４】実施例１における帯電ブレードの作用を示す概略図
【図５】帯電ブレードの変形量を説明するための概略図
【図６】実施例１における帯電ブレードの効果を示す図
【図７】（ａ）乃至（ｄ）はそれぞれ実施例１における他の構成の帯電ブレードの概略図
【図８】実施例２の帯電ブレードの構成説明図
【図９】実施例２における帯電ブレードの作用を示す概略図
【図１０】接着部と非接着部の形態図
【図１１】実施例３の帯電ブレードの構成説明図（その１）
【図１２】実施例３の帯電ブレードの構成説明図（その２）
【図１３】実施例３における帯電ブレードの作用を示す概略図
【図１４】実施例３の帯電ブレードをクリーニング兼帯電ブレードとして適用した画像形成装置の概略構成図
【図１５】（ａ）と（ｂ）はローラ帯電装置の斜視模式図と断面模式図、（ｃ）は帯電ローラとドラムとの間の放電に関与する微小ギャップの空気層とドラムを電気的な等価回路図
【図１６】（ａ）はブレード帯電装置の斜視模式図、（ｂ）は課題の説明図
【図１７】課題を説明する図
【発明を実施するための形態】
【００２７】
［実施例１］
（１）画像形成装置例の全体的な概略構成及び作像動作
図２は本発明に従う帯電部材２２を用いた画像形成装置１００の一例の概略構成図である。装置１００は、電子写真プロセス利用のプロセスカートリッジ着脱式の電子写真画像形成装置である。装置１００はパソコン・イメージリーダ・ファクシミリ装置等のホスト装置４００から制御回路部（制御手段：ＣＰＵ）２００に入力する電気的な画像信号に基づいて記録材（記録媒体）Ｐに対する画像形成を実行する。
【００２８】
記録材Ｐは電子写真プロセスで画像形成が可能なシート状物であり、例えば、用紙、樹脂シート、ラベル等が挙げられる。制御回路部２００は操作部３００やホスト装置４００との間で各種の電気的情報の授受をすると共に、装置１００の画像形成動作を記憶部に記憶させた所定の制御プログラムや参照テーブルに従って統括的に制御する。
【００２９】
装置１００の装置本体内には、カートリッジ収納部１００Ａが設けられている。プロセスカートリッジ５０はカートリッジ収納部１００Ａに対して所定の操作要領にて取り外し可能に装着されている。本実施例において、カートリッジ５０は一体型のプロセスカートリッジである。即ち、現像剤Ｔで現像される静電潜像が形成される像担持体としての電子写真感光体ドラム１と、ドラム１に作用するプロセス手段としての帯電手段２２・現像手段１０・クリーニング手段７が共通の筺体に一体的に組み付けられて一体化されている。
【００３０】
本実施例において、帯電手段２２は帯電ブレードである。この帯電ブレード２２については後述する。現像手段１０は現像剤Ｔとして一成分磁性トナーを用いた非接触現像装置である。以下、現像剤Ｔをトナーと記す。クリーニング手段７はクリーニング部材として弾性ブレード７ａを用いたブレードクリーニング装置である。
【００３１】
現像装置１０は、トナーＴを収容している現像剤収容部としての現像容器１０ａを有する。また、ドラム１に形成された静電潜像をトナー像として現像する現像剤担持体としての現像スリーブ１０ｂ、スリーブ１０ｂ内に配設された非回転のマグネットローラ１０ｃ、現像スリーブ１０ｂ上のトナーの量を規制する現像ブレード１０ｄ等を有する。
【００３２】
カートリッジ収納部１００Ａの上方部には、像露光手段としてのレーザースキャナユニット３が配設されている。ユニット３は、ホスト装置４００から制御回路部２００に入力する画像情報に対応して変調したレーザー光Ｌを出力する。そのレーザー光Ｌがカートリッジ５０の上面側の露光窓５０ａを通してカートリッジ５０内に進入する。これにより、ドラム１の表面にレーザー走査露光がなされる。
【００３３】
カートリッジ５０のドラム１の下面には転写ローラ９が当接して転写ニップ部Ｎを形成している。カートリッジ収納部１００Ａに収容されているカートリッジ５０は、押圧手段（不図示）により装置本体側の位置決め部（不図示）に押し付けられて位置決め固定されている。また、カートリッジ５０の駆動入力部（不図示）に対して装置本体側の駆動出力部（不図示）が結合している。また、カートリッジ５０の各種電気接点（不図示）に対して装置本体側の対応する各種電気接点（不図示）が導通している。
【００３４】
画像形成動作は次のとおりである。ドラム１は矢印Ｒの時計回りに所定の周速度（プロセススピード）で回転駆動される。ユニット３も駆動される。この駆動に同期して、所定の制御タイミングで帯電ブレード２２に帯電バイアス印加電源Ｅから所定の帯電バイアスが印加されてドラム１の表面が帯電ブレード２２により非接触式にて所定の極性・電位に一様に帯電処理される。ユニット３はドラム１の表面を画像信号に応じて変調されたレーザー光Ｌで走査露光する。これにより、ドラム１の表面に画像信号に応じた静電潜像が形成される。
【００３５】
形成された静電潜像は現像装置１０の現像スリーブ１０ｂによりトナーが供給されてトナー像として現像される。現像スリーブ１０ｂは矢印の反時計方向に所定の速度で回転駆動される。また、現像スリーブ１０ｂには現像バイアス印加電源部（不図示）から所定の制御タイミングにて所定の現像バイアスが印加される。
【００３６】
一方、給紙機構部（不図示）から記録材Ｐが一枚分離給送されて転写ニップ部Ｎに所定の制御タイミングで導入され、ニップ部Ｎを挟持搬送されていく。ニップ部Ｎを記録材Ｐが通過している間、転写ローラ９には転写バイアス印加電源部（不図示）から所定の転写バイアスが印加される。これにより、ドラム１側のトナー像が順次に記録材Ｐの面に転写されていく。
【００３７】
ニップ部Ｎを出た記録材Ｐはドラム１の面から分離されて定着装置８に導入される。本実施例において、定着装置８はヒートローラ定着装置であり、記録材Ｐは定着ニップ部で挟持搬送されて熱と圧力を受ける。これにより、記録材Ｐ上の未定着トナー像が固着画像として熱圧定着される。そして定着装置８を出た記録材Ｐは画像形成物として装置１００から排出される。また、記録材分離後のドラム１の表面はクリーニングブレード７ａにより転写残トナー等の付着残留物の除去を受けて清浄面化されて、繰り返して画像形成に供される。
【００３８】
（２）帯電ブレード２２
帯電ブレード２２は、ドラム１の水平方向よりβ゜（図２：ドラム１の中心（回転軸線）を通る水平線と、ブレード２２とドラム１の当接位置とドラム中心とを結んだ線とがなす角度）のドラム位置においてドラム１の回転に対してカウンター方向に当接させている。また、図３のようにブレード２２を仮想のドラム１に対して侵入（侵入させる量を以後「侵入量δ」と称する）させることにより実際にはドラム１と帯電ブレード２２を圧接させて帯電ブレードの挙動を安定させている。
【００３９】
ここで、実際の侵入量δとセッティングアングルθの求め方の一例を示す。侵入量δとセッティングアングルθは、画像形成時における帯電ブレード２２とドラム１の配置状態から、ドラム１を取り去った状態で測定を行う。図３において、画像形成時にドラム１が配置されてた位置を仮想ドラム１とする。仮想ドラム１の中心を通り帯電ブレード２２の先端のエッジ部を含み、ドラム１と対向する側の面と平行な軸をＸ軸とする。仮想ドラム１の中心を通りＸ軸に垂直な軸をＹ軸とする。
【００４０】
そして、図３のように仮想ドラム１の中心からの帯電ブレード２２の先端の座標（Ｘ、Ｙ）を測定する。この座標と仮想ドラム１の半径ｒから式（１）および式（２）を用いて侵入量δとセッティングアングルθを求めることができる。
【００４１】
δ＝√（ｒ２−Ｘ２）−Ｙ    ‥‥式（１）
θ＝ｔａｎ−１（Ｘ／ｒ）  ‥‥式（２）
図１の（ａ）は図２の装置１００の帯電ブレード２２を拡大して模式的に示した横断面図、（ｂ）はブレード２２の先端部分（（ａ）の破線部分Ｑ）の拡大図である。本実施例の帯電ブレード２２は、静電潜像が形成されるドラム１に当接して相対的に移動し電圧が印加されることによりドラム１の表面を帯電するためのブレード状の帯電部材である。そして、ドラム１の表面に対して放電を行うための導電性の帯電部２２２と、ドラム１の表面に対して放電を行わないための非帯電部２２１と、を有する。
【００４２】
非帯電部２２１はドラム１と接触して、帯電部２２２とドラム１との間に放電可能な間隙を設けることが可能である。非帯電部２２１は、非帯電部２２１からドラム１の表面に対して放電をしないように、少なくとも一部が帯電部２２２よりも高抵抗の物質で構成されている。２２０は帯電部２２２の中でドラムとの間に微小空隙ｇ（図４）を持って帯電を行う放電位置である。微小空隙ｇについては後述する。
【００４３】
２２３は金属製の弾性部材（金属性の板バネ部材）、２２４はホルダーである。弾性部材２２３は帯電部２２２と非帯電部２２１とを支持する。ホルダー２２４は本実施例では導電性部材で構成されており、ホルダー２２４と帯電部２２２とは弾性部材２２３によって電気的に導通しており、電源Ｅから帯電用の印加電圧がホルダー２２４と弾性部材２２３を介して帯電部２２２に印加される。
【００４４】
帯電部２２２はドラム１の母線方向（ドラム軸線方向）に長く、ドラム１の画像形成可能領域幅Ｇ（図１６の（ａ）：所定の帯電領域幅）の全域に対応する長さ寸法を有する。帯電部２２２は、ゴムに導電粉を添加して抵抗値を１×１０３〜１×１０９Ω・ｃｍに制御している。ゴムはＳＢＲ、ＢＲ、ＥＰＤＭ、ウレタン、シリコンゴム、クロロプレン、エピクロルヒドリンゴム等である。導電粉はカーボンブラックや金属酸化物（酸化亜鉛・酸化チタン等）などである。
【００４５】
帯電部２２２が１×１０３Ω・ｃｍより小さい抵抗である場合には、ドラム１上にブツ等の不良部があった場合に電流リークを生じてしまい、いわゆる“横抜け”（反転現像の場合は、“横黒帯”）という画像不良を生じてしまう。また、１×１０９Ω・ｃｍ以上になると抵抗が大きくなり、印加した電圧の減衰が大きく、帯電性が劣化してしまう。従って、帯電部２２２の抵抗値は、１×１０３Ω・ｃｍ〜１×１０９Ω・ｃｍが望ましい。
【００４６】
図４の（ａ）と（ｂ）に帯電ブレード２２を感光体ドラム１に当接させた状態のブレード先端側の模式図を示す。帯電ブレード２２は長手方向をドラム１の母線方向に並行にしてドラム１に対して配列される。そして、非帯電部２２１のエッジ部をドラム１に接触させ、ホルダー２２４をカートリッジ５０の筺体に固定して、前記エッジ部を金属製弾性部材２２３の撓み反力にて所定の押圧力でドラム１に当接させた状態にされる。
【００４７】
この当接状態において、帯電部２２２はドラム１との間に非接触に対面して配置される。そして、帯電部２２２の放電位置２２０がドラム１との間に放電可能な間隙ｇ（ｇ１、ｇ２）を持って非接触に配置される。
【００４８】
本実施例の帯電ブレード２２において、帯電部２２２の放電位置２２０は、帯電部２２２の非帯電部２２１との接合端面と、帯電部２２２のドラム１との対向面と、の会合部である。即ち、帯電部２２２とドラム１との最近接位置が放電位置２２０となる。
【００４９】
導電性のホルダー２２４に対して帯電バイアス印加電源Ｅから所定の帯電バイアスが印加され、そのバイアスが、ホルダー２２４、金属製弾性部材２２３を介して帯電部２２２に印加される。これにより、帯電部２２２の放電位置２２０とドラム１との間の微小空隙ｇにおいてドラム１の表面に対して放電がなされて回転するドラム１の表面が所定の極性・電位に一様に帯電される。
【００５０】
帯電が安定して行われるには微小空隙ｇは７．５μｍ以上１５０μｍ以下、望ましくは７．５μｍ以上１００μｍ以下とすることが必要である。微小空隙ｇが７．５μｍ未満ではパッシェンの法則より放電が起こらない。一方、微小空隙ｇが１５０μｍ以上では放電は起こるが不均一な放電であり、画像形成時には斑点状の不良画像となって現れる。このため、安定した放電のためには長さｇは１００μｍ以下とすることが望ましい。
【００５１】
放電が発生するための微小空隙ｇの下限値は、印加する電圧や、放電を行う部材によらず一定のものである。放電が発生するための微小空隙ｇの下限値は、気圧によってある程度変動する。本実施例では、一気圧（７６０ｔｏｒｒ）を基準にして、上記した７．５μｍを導き出している。一気圧は、装置が使用される一般的な環境として選択している。
【００５２】
本実施例では、ドラム１と帯電部２２２との距離が７．５μｍ以上１５０μｍ以下であり、且つ、ドラム１と帯電部２２２の最近接位置の帯電部２２２上が放電位置２２０となる。
【００５３】
このような理論的な放電位置２２０の定義と、実際の放電位置とが対応するかどうかの検証をおこなってみた。ドラム１と帯電ブレード２２を圧接させた停止状態において、一定の時間だけ一定の帯電電圧を印加する。そして、帯電部２２２に放電により生じた痕（この痕を以下“放電痕”と称する）の位置を実際の放電位置として、放電痕の測定を行った。なお、印加する帯電電圧は放電が継続して行われる電圧であればよく、たとえば、ピーク間電圧２．０ｋＶのサイン波の交流電圧を１０分間印加することで帯電部２２２に放電痕が得られる。
【００５４】
結果から、放電痕の位置と、理論的な放電位置とはほぼ同じ位置であることがわかった。したがって、上記のような、理論的な放電位置の求め方が有効であることがわかった。
【００５５】
非帯電部２２１について説明する。非帯電部２２１は、帯電ブレード２２の先端部でドラム１と直接当接している。本実施例においては、帯電ブレード２２の非帯電部２２１は体積抵抗が１×１０１１Ω・ｃｍ以上、マイクロゴム硬度７２度（ＪＩＳ−Ａ）のウレタンゴムを使用している。ウレタンゴムのほかにシリコンゴムなどの絶縁性ゴムを使用しても良い。
【００５６】
本発明の帯電ブレード（帯電部材）２２は、非帯電部２２１に同一の力を加えたときに、帯電ブレードの変形量が、帯電ブレード長手方向（帯電部材長手方向）における端部よりも、帯電ブレード長手方向における中央部の方が大きいことを特徴とする。
【００５７】
このような特徴を帯電ブレードに具備させる構成として、本実施例においては、帯電部材には帯電部材長手方向に沿って溝又は切れ込みが設けられている。そして、溝の深さ又は切れ込みの深さが帯電部材長手方向において端部に対して中央部が深いことを特徴とする。
【００５８】
本実施例の帯電ブレード２２においては、図１の（ｂ）のように、放電位置２２０と帯電ブレード２２のドラム１と当接する先端部との間に帯電ブレード長手に沿って溝幅Ｕａの溝部Ｕ１を有している。溝部Ｕ１は帯電ブレードのドラム１と対向する側に設けられている。溝部Ｕ１のブレード厚み方向の深さＸは、帯電ブレード長手方向において端部よりも中央部が深くなっている。これにより、帯電ブレード２２をドラム１に当接させると、帯電ブレード２２の先端部と放電位置２２０の間が変形する。
【００５９】
この場合、図４の（ａ）のように帯電ブレード長手方向中央部（中央領域）の溝部深さＸ１が（ｂ）に示す帯電ブレード長手方向端部（端部領域）の溝部深さＸ２よりも深くなっている。そのため、帯電ブレード２２の長手方向端部領域よりも長手方向中央領域の変形量が大きくなる。
【００６０】
次に、ここでいう帯電ブレードの変形量について説明する。帯電ブレード２２を図５の（ａ）ようにドラムに対する非当接状態における点Ｎ１と点Ｎ２の間の距離である変位量Ｓ１と、（ｂ）のようにφ３０ｍｍの金属製ドラムに設定角と侵入量δを所定値に設定したときの点Ｎ１とＮ２の間の距離である変位量Ｓ２を測定する。この変位量の差分（Ｓ２−Ｓ１）が帯電ブレードの変形量Ｚである。ここで、図５中の帯電ブレードの点Ｎ１はブレード先端と溝部Ｕ１間にある任意の点であり、点Ｎ２は帯電部２２２上の任意の点である。
【００６１】
本発明では、φ３０ｍｍの金属製ドラムに設定角と侵入量δを所定値に設定したときの帯電ブレードの画像領域中央部の変形量Ｚ１と中央部と同一の所定値に設定したときの端部（最大画像形成領域から２０ｍｍ内側）の変形量Ｚ２を求める。つまり、帯電ブレードの非帯電部２２１に同一の力を加えたとき、変形量Ｚ１と変形量Ｚ２の差分ΔＺ＝（変形量Ｚ１−変形量Ｚ２）がΔＺ＞ゼロの関係を満たす。
【００６２】
具体的に示す。変形量Ｚの測定は帯電ブレード２２の長手中央部および端部を試験片として切り出して行う。それぞれの試験片をレーザー顕微鏡を用いて試験片の断面方向から観察することで変形量Ｚおよび差分ΔＺを求めることができる。
【００６３】
（３）検証実験
次に、本実施例の帯電ブレード２２を採用したカートリッジ５０を着脱可能とした画像形成装置１００を用いて画出し試験をおこなった。画出し試験はブレード侵入量δの異なるカートリッジ５０を６種類準備し、常温常湿環境（Ｎ／Ｎ環境）２３℃／５０％において８０００枚の通紙試験を行った。また、比較のために本実施例の帯電ブレードを用いていない以下の帯電ブレード２２においても同様の通紙試験を行った。
【００６４】
＜本実施例の帯電ブレード２２＞
ａ）自由長Ｌ１：７．０ｍｍ
ｂ）ブレード厚みＴ：２．０ｍｍ
ｃ）長さＬ２・５．０ｍｍ
ｄ）支持部材２２３
・リン青銅：厚み＝０．１ｍｍ
・先端からリン青銅までの距離Ｌ３：０．８ｍｍ
ｅ）帯電部２２２
・材料：カーボン分散のポリウレタン
・体積抵抗値：１×１０５Ω・ｃｍ
・先端から導電部までの距離Ｌ４：１．０ｍｍ
ｆ）溝部Ｕ１
・先端から溝部までの距離Ｙ：０．７ｍｍ
・溝部Ｕ１の幅Ｕａ：０．１ｍｍ
・深さＸ：０〜１．０ｍｍ（図  の（ａ）：ブレード長手正面から見たときに
円弧状に形成）
・端部０．０ｍｍ
・中央１．０ｍｍ
＜比較例１の帯電ブレード２２＞
帯電部と先端部の間に溝部Ｕ１を備えていない従来構成の帯電ブレード。ドラム１との当接部である先端に絶縁性ウレタンゴムを成形した。
【００６５】
＜画出しの条件＞
ａ）帯電ブレード設定条件
・侵入量δ（ｍｍ）＝０．３、０．５、０．７、０．９、１．１、１．３
・セッティングアングルθ＝２５°
・画出し条件
プロセススピード：１００ｍｍ／ｓｅｃ
ドラム径：φ２４
クリーニングブレード７ａ：ウレタンゴム、カウンター当接
印加バイアス：ＤＣ−９５０〜１５００Ｖ可変（所望の暗部ＶＤとなるように
侵入量δに応じて印加バイアスを可変とした）
電位設定：暗部ＶＤ＝−５００Ｖ、明部ＶＬ＝−１００Ｖ
結果を表１に示す。本実施例の帯電ブレード２２を用いた画像形成装置では通紙試験の結果、ブレード侵入量δの異なる場合においても８０００枚程度まで帯電性を損なうことがなかった。本実施例を用いていない比較例１の帯電ブレード２２では端部と中央部で濃度不均一画像の発生があった。
【００６６】
【表１】
0005615154.tif 000002
これは次のように考えられる。図６は微小空隙ｇの中央−端部差Δｇのブレード侵入量依存性を示した図である。図６のように従来構成（比較例１）の帯電ブレード２２では、ブレード侵入量δが小さいときはドラム１の撓みが僅かであるため放電位置２２０の微小空隙ｇの中央−端部の微小空隙差Δｇはないので良好な出力画像が得られた。
【００６７】
ブレード侵入量δがδ＝０．５ｍｍ程度になると微小空隙差Δｇが生じてくるが、実用上問題ないレベルの濃度不均一画像であった。そしてδ＝０．７ｍｍよりも大きいときはドラム１の撓みが顕著になり、微小空隙差Δｇが大きくなるため、帯電電位に長手ムラが生じた。その結果、濃度不均一画像が発生した。
【００６８】
一方、本実施例の帯電ブレード２２では長手方向における画像の濃度均一性は良好であった。図６のように、微小空隙差Δｇは侵入量に依存せずほぼ均一になっている。これはドラム１の撓みによって中央領域の帯電ブレード２２の侵入量δが小さくなっているが、帯電ブレード２２の変形量が端部よりも中央部の変形量が大きくなるように溝部を備えたことによってドラム１の撓みに追従できるようになったと考えられる。従って、微小空隙差Δｇがなくなり帯電電位が均一に安定して行われる。その結果、濃度均一画像が得られた。
【００６９】
以上のように、本実施例によってドラムの撓みが生じた場合でも帯電ブレード侵入量δの広い範囲において安定して良好な出力画像が得られる。また、本実施例では溝部Ｕ１をドラム１と対向する側に設けたが、図７の（ａ）のようにドラム１と対向しない側（対向する側とは反対側）に溝部Ｕ１を設けた場合においても均一な画像濃度を得ることができる。
【００７０】
また、本実施例では溝部Ｕ１を有する帯電ブレード構成としたが、図７の（ｂ）で示すようなブレード先端と放電位置２２０との間に切れ込みＵ２が形成された構成とした場合でも同様の効果が得られる。
【００７１】
また、溝部Ｕ１あるいは切れ込みＵ２を備える位置は非帯電部２２１に限らない。ブレード先端と放電位置２２０との間であれば図７の（ｃ）のように凸形状の放電位置２２０を有する帯電ブレード２２では帯電部２２２に溝部Ｕ１あるいは切れ込みＵ２があっても良い。
【００７２】
また、非帯電部２２１はドラム１の表面を帯電するための放電が生じなければ良く、図７の（ｄ）のように多層構成とし、ブレード先端部と放電位置２２０の間に非帯電部２２１を有していれば先端部は帯電部（導電性材料部）２２２であっても良い。
【００７３】
［実施例２］
図８の（ａ）は本実施例の帯電ブレード２２の構成説明図、（ｂ）はブレード２２の先端部分（（ａ）の破線部分Ｑ）の拡大図である。本実施例の特徴は、帯電ブレード２２の帯電部（第一の帯電部材部分）２２２と非帯電部（第二の帯電部材部分）２２１との接着部Ｂにおいて、ブレード長手方向の端部と中央部とで厚み方向の接着幅が異なるところにある。
【００７４】
即ち、本実施例の帯電部材２２は、第一の帯電部材部分２２２と第二の帯電部材部分２２１とが帯電部材長手方向に沿って帯電部材２２のドラム１と対向する側の面から帯電部材厚み方向において非接着部Ｂａを存して接着剤により接着されている。つまり、第一の帯電部材部分２２２と第二の帯電部材部分２２１とが接着部Ｂによって接合されている。そして、非接着部Ｂａの帯電部材厚み方向の幅を非接着幅としたとき、非接着幅Ｂａは帯電部材長手方向において端部に対して中央部が広いことを特徴とする。
【００７５】
本実施例で用いた帯電ブレード２２は、図８のように、ドラム１と対向する側の面から接着部Ｂまでの距離が、中央部＞端部、となるようにプライマー（接着剤）を塗布し非帯電部２２１と帯電部２２２を接着した。接着部Ｂの詳細を以下に示す。接着部Ｂの他は実施例１と同様の構成である。
【００７６】
距離Ｘ：端部Ｘ２（画像形成領域端部から２０ｍｍの位置）  ０．２ｍｍ
中央部Ｘ１  １．０ｍｍ
これにより図９の（ａ）と（ｂ）のように帯電ブレードの変形量は（ｂ）の端部（端部領域）よりも中央部（中央領域）が大きくなるため、前記実施例１と同様にドラム１が撓んだ場合でも放電位置２２０とドラム１の微小空隙が長手方向で均一にできる。
【００７７】
（検証実験）
次に、本実施例の帯電ブレード２２を採用したカートリッジ５０を着脱可能とした画像形成装置１００を用いて実施例１と同様に画出し試験を行った。結果を表２に示す。
【００７８】
【表２】
0005615154.tif 000003
図１０の（ａ）はブレード２２の長手方向Ｆにおいて帯電部２２２と非帯電部２２１との接着部Ｂの接着幅を示す図である。即ち、接着部Ｂを図８の（ａ）中の視点Ｃから見た図であり、図１０の（ａ）中では非帯電部２２１は不図示としている。本実施例では図１０の（ａ）のような接着部Ｂの幅としたが、図１０の（ｂ）のように狭い接着部Ｂとし距離Ｘを所定の値とすることによって同様に安定して良好な出力画像が得られる。
【００７９】
以上のように、本実施例によってドラム１が撓みを生じた場合でも帯電ブレード２２の侵入量δの広い範囲において安定して良好な出力画像が得られる。
【００８０】
［実施例３］
図１１の（ａ）は本実施例の帯電ブレード２２の構成説明図、（ｂ）はブレード２２の先端部分（（ａ）の破線部分Ｑ）の拡大図である。本実施例の特徴は、弾性金属部材（金属製の板バネ部材）２２３の突き出し量Ｈがブレード長手方向端部と中央部とで異なるところにある。即ち、帯電部２２２と非帯電部２２１とを支持する弾性金属部材２２３を備え、弾性金属部材２２３の先端は帯電部２２２の先端位置よりも突出しており、突出の量Ｈは帯電部材長手方向において中央部に対して端部が大きいことを特徴とする。
【００８１】
図１２は本実施例の帯電ブレード２２を図１１の（ａ）中の視点Ｃから見た図であり、図１２中では非帯電部（絶縁部）２２１を不図示としている。本実施例では図１２のように弾性金属部材２２３の突き出し量Ｈを、中央部＜端部、となるようにした。本実施例における帯電ブレード２２の詳細は以下のとおりである。
【００８２】
ａ）弾性金属部材２２３
・弾性金属部材２２３：リン青銅  厚み０．１ｍｍ
・先端形状：円弧状：端部に比べて長手中央部が０．４ｍｍ凹
・突き出し量（弾性金属部材２２３の先端と帯電部２２０との距離）Ｈ
中央部Ｈ１：０．１ｍｍ
・端部Ｈ２：０．５ｍｍ
ｂ）非帯電部２２１
・材質：ウレタンゴム
・硬度（ＪＩＳ−Ａ）：７２°
・厚みＳ１：２ｍｍ
・先端部と放電位置２２０の距離Ｌ４：０．７ｍｍ
これにより、図１３のように、帯電ブレード２２の変形量Ｚは、中央部＞端部、となり前記実施例１と同様にドラム１が撓んだ場合でも、放電位置２２０とドラム１の微小空隙ｇが長手方向で均一にできる。
【００８３】
（検証実験）
次に、本実施例の帯電ブレード２２を採用したカートリッジ５０を着脱可能とした画像形成装置１００を用いて画出し試験を行った。本実施例では、本発明の帯電ブレード２２に備えた非帯電部（絶縁部）２２１がドラム表面をクリーニングするための機能を満足する構成とし、図１４に示すようにクリーニング兼帯電ブレードとした。これによりカートリッジ５０および画像形成装置の小型化、コストダウンが可能となる。耐久試験はＮ／Ｎ環境で通紙８０００枚行った。画出しの条件は以下のとおりである。結果を表３に示す。
【００８４】
＜画出し条件＞
プロセススピード：１００ｍｍ／ｓｅｃ
ドラム径：φ２４
【００８５】
【表３】
0005615154.tif 000004
以上のように、侵入量δ＝０．３ｍｍのときは、画像均一性は良好なレベルであったが、クリーニング性は不十分なレベルであった。これはクリーニング兼帯電ブレード２２とドラムとの接触圧が不足したためと考えられる。侵入量δ＝１．５ｍｍ以上のときは、クリーニング性は実用上問題ないレベルであったがドラム１の撓みが大きくなり過ぎたため画像均一性が不十分なレベルとなっていた。侵入量δ＝０．５ｍｍ〜１．５ｍｍにおいては、画像濃度均一性およびクリーニング性において良好なレベルであり、良好な画像が得られた。
【００８６】
以上のように、本実施例の帯電ブレードでは、帯電ブレード侵入量δの広い範囲において安定して帯電ができるとともに、良好なクリーニング性を合わせもっているので、良好な画像を出力できる部品点数の少ない小型の画像形成装置が得られる。また、ドラム表面の画像領域全幅にわたって当接し、ドラム１と安定して摺擦しているので長手方向においても均一な出力画像が得られる。
【００８７】
［その他の事項］
１）本発明において静電潜像が形成される像担持体は、実施例の電子写真方式における電子写真感光体に限られない。静電記録方式における静電記録誘電体であっても良い。また、像担持体はドラム型に限られない。エンドレスの回動ベルトや走行される有端ベルトの形態であってもよい。また、像担持体は搬送手段で搬送されるシート状部材（エレクトロファックス紙、静電記録紙）の形態であってもよい。
【００８８】
２）像担持体と帯電部材の相対的な移動には、実施例のように固定の帯電部材に対して像担持体が移動する形態に限られず、固定の像担持体に帯電部材が移動する形態、帯電部材と像担持体の両方が移動する形態も含まれる。
【００８９】
３）帯電部材の像担持体に対する当接は実施例のカウンター方向当接に限られず、順方向当接でも良い。また、エッジ当接に限られず、腹当て当接でも良い。
【００９０】
４）本発明において帯電部材による像担持体表面の帯電には像担持体表面を除電処理するための帯電も含まれるものである。
【符号の説明】
【００９１】
１・・像担持体、２２・・ブレード状の帯電部材、２２２・・帯電部、２２１・・非帯電部、ｇ・・放電可能な間隙
【図１】
0005615154.tif 000005
【図２】
0005615154.tif 000006
【図３】
0005615154.tif 000007
【図４】
0005615154.tif 000008
【図５】
0005615154.tif 000009
【図６】
0005615154.tif 000010
【図７】
0005615154.tif 000011
【図８】
0005615154.tif 000012
【図９】
0005615154.tif 000013
【図１０】
0005615154.tif 000014
【図１１】
0005615154.tif 000015
【図１２】
0005615154.tif 000016
【図１３】
0005615154.tif 000017
【図１４】
0005615154.tif 000018
【図１５】
0005615154.tif 000019
【図１６】
0005615154.tif 000020
【図１７】
0005615154.tif 000021